(57)【特許請求の範囲】
【請求項１】
フェイス面が形成されたヘッドと、該ヘッドにネックを介して装着されるシャフトとを備えるゴルフパターであって、
前記ヘッドの輪郭の一部が、球体の一部をなすように形成され、
前記ヘッドには、スイング時における前記ヘッドの重心軌道上に、複数の球体が並べて設けられており、
前記ネックは、前記複数の球体のうちの前記ヘッドのフェイス面に対して後方の球体に基端部が埋め込まれ、且つライ角に沿って傾いて設けられ、
前記シャフトの主軸線は、前記ヘッドのフェイス面にほぼ平行であり、且つ前記ヘッドのスイートスポットを通ることを特徴とするゴルフパター。
【請求項２】
前記複数の球体は、前記ヘッドの重心軌道に沿って、前記ヘッドのソールからの中心高さが互いに異なることを特徴とする請求項１に記載のゴルフパター。
【請求項３】
前記ヘッドには、前記ヘッドのフェイス面と平行に、複数の球体が並べて設けられていることを特徴とする請求項１または請求項２に記載のゴルフパター。
【請求項４】
前記ヘッドのソールには、前記複数の球体のうちの少なくとも１つの球体の輪郭の一部を形成する凹部が設けられていることを特徴とする請求項１から請求項３のいずれかに記載のゴルフパター。
【発明の詳細な説明】
【０００１】
【発明の属する技術分野】
本発明は、ゴルフ用のパターに関するものである。
【０００２】
【従来の技術】
ゴルフに用いられるクラブのうち、最も多用されるクラブの一つであるゴルフパターにおいては、従来より、打球を安定させるための様々な技術が提案されている。
【０００３】
ゴルフパターは、主として、打球面としてのフェイス面が形成されたヘッドと、このヘッドに装着されるシャフトとからなり、ヘッドの装着にはネックと呼ばれる部材を用いる場合が多い。そして、これらヘッド、シャフト、及びネックのそれぞれに対して、従来より、形態や材質など、打球を安定させるための様々な技術開発がなされてきた。
【０００４】
例えば、硬い材質をヘッドに用いることにより、打球時のインパクトの力を高め、より小さなテークバックで所望の強さの打球を得る試みなどがなされている。
【０００５】
【発明が解決しようとする課題】
ところで、ゴルフパターによる打球の特性を決定づける要因として、ヘッドやシャフトの材質とともに、ヘッドの構造や形状が重要であることが知られている。また、視覚的にヘッドのスイートスポットで打球しやすいゴルフパターの開発が望まれている。
【０００６】
本発明は、上述する事情に鑑みてなされたものであり、視覚的にヘッドのスイートスポットを認識しやすく、打球の安定性が高いゴルフパターを提供することを目的とする。
【０００７】
【課題を解決するための手段】
上記課題を解決するため、本発明は、フェイス面が形成されたヘッドと、該ヘッドにネックを介して装着されるシャフトとを備えるゴルフパターであって、前記ヘッドの輪郭の一部が、球体の一部をなすように形成され、前記ヘッドには、スイング時における前記ヘッドの重心軌道上に、複数の球体が並べて設けられており、前記ネックは、前記複数の球体のうちの前記ヘッドのフェイス面に対して後方の球体に基端部が埋め込まれ、且つライ角に沿って傾いて設けられ、前記シャフトの主軸線は、前記ヘッドのフェイス面にほぼ平行であり、且つ前記ヘッドのスイートスポットを通ることを特徴とする。
このゴルフパターでは、ヘッドの輪郭の一部が球体の一部をなすように形成されていることから、視覚的にヘッドのスイートスポットを認識しやすい。しかも、ヘッドの輪郭の一部が球体の一部をなすことから、重心点を通る軸周りの慣性モーメントが比較的大きく、スイートスポットからの打点のずれに対する許容度が高い。
また、スイング時におけるヘッドの重心軌道上に、複数の球体が並べて設けられている
ことにより、スイング時における重心軌道上の運動量が増し、スイートスポットでのインパクトの力が向上する。そのため、小さなテークバックで所望の強さの打球を得ることが可能となる。
また、ネックが、複数の球体のうちのヘッドのフェイス面に対して後方の球体に基端部が埋め込まれ、且つライ角に沿って傾いて形成されていることから、ネックのラインが重心軌道上と一致し、ヘッドのスイートスポットをさらに認識しやすい。しかも、複数の球体のうちの後方の球体に基端部が埋め込まれていることにより、打点がスイートスポットからずれた場合にも、シャフトに対してねじれの力が働きにくい。
さらに、シャフトの主軸線が、ヘッドのフェイス面にほぼ平行であり、且つヘッドのスイートスポットを通ることから、ヘッドのスイートスポットをさらに認識しやすい。
ここで、スイートスポットは、ヘッドの重心点からフェイス面に垂直に降ろした点及びその周辺領域、または、スイング時における理想的なヘッドの重心軌道とフェイス面との交点及びその周辺領域とする。
【０００８】
この場合、前記複数の球体は、前記ヘッドの重心軌道に沿って、前記ヘッドのソールからの中心高さが互いに異なるとよい。
【０００９】
また、前記ヘッドには、前記ヘッドのフェイス面と平行に、複数の球体が並べて設けられているとよい。
これにより、重心点を通る縦軸周りの慣性モーメントが大きくなり、スイートスポットからの打点の左右方向のずれに対する許容度が高くなる。
【００１０】
また、前記ヘッドのソールには、前記複数の球体のうちの少なくとも１つの球体の輪郭の一部を形成する凹部が設けられているとよい。
これにより、複数の球体による上述したインパクトの力の向上という利点を有したまま、ソールの実質的な面積が減少する。そのため、スイング時におけるヘッドと地表との摩擦抵抗が低減される。
【００１１】
【発明の実施の形態】
以下、本発明に係るゴルフパターの一実施形態について図面を参照して説明する。
図１は本実施形態のゴルフパター１０のヘッド１１を示す斜視図、図２は図１の矢視Ａに示すヘッド１１の正面図、図３は図１の矢視Ｂに示すヘッド１１の平面図、図４は図１の矢視Ｃに示すヘッド１１の側面図、そして図５はヘッド１１のソール１２を示す斜視図である。
【００１２】
本実施形態のゴルフパター１０は、ヘッド１１の全体形状が、球体の一部をなすように形成されている。すなわち、図３及び図４に示すように、ヘッド１１の輪郭の一部がフェイス面１３上の所定の点（図３及び図４に示す符号Ｐ１）を中心とした円弧１５を形成しており、この円弧１５から描かれる球体の一部としてヘッド１１の全体形状が定められている。また、上記球体の中心Ｐ１は、ヘッド１１の長さ方向（図４の左右方向）の中心に位置しており、これに応じてヘッド１１の重心もヘッド１１の長さ方向の中心に位置している。これにより、ヘッド１１は、重心を通り且つフェイス面１３に垂直な軸を中心に、ヘッド１１の長さ方向に対して全体がほぼ対称に形成されている。なお、上記球体の半径は例えば５４ｍｍである。
【００１３】
また、ヘッド１１は、上述した円弧１５を輪郭に持つベース２０と、このベース２０上に設けられた複数の球体２１，２２，２３，２４とから構成されている。ベース２０は、略Ｌ字状に形成されており、一面にフェイス面１３、他の一面にソール面１２ａが形成されている。
【００１４】
また、上記複数の球体２１〜２４は、フェイス面１３と直交する方向に並べられた２つの球体（第１球体２１、第２球体２２）と、フェイス面１３と平行に並べられた２つの球体（第３球体２３、第４球体２４）とからなる。これらの複数の球体２１〜２４は、フェイス面１３の背面側に位置するとともに、その一部がベース２０に埋め込まれている。なお、例えば、第１球体２１の半径は１８ｍｍ、第２球体２２の半径は１２ｍｍ、第３及び第４球体２３，２４の半径はともに１３ｍｍである。
【００１５】
本実施形態では、第１球体２１の中心が、ヘッド１１全体の重心とほぼ一致する。また、第２球体２２は、第１球体２１の後方で且つ第１球体２１に隣接して配置されており、第２球体２２の中心は、スイング時において第１球体２１の中心が描く軌道上に位置している。つまり、図２に示すように、スイング時におけるヘッド１１の重心軌道上（＝第１球体２１の中心軌道上）に、第１球体２１と第２球体２２とが並べて配置されており、ソール１２からの第１球体２１の中心高さＨａに比べて、ソール１２からの第２球体２２の中心高さＨｂがわずかに高くなっている。なお、スイング時におけるヘッド１１の重心軌道は、スイングの支点を中心にして使用者の腕の長さやシャフト３０の長さを含めた回転半径（図２に示す符号Ｒａ）により円弧状に描かれるものである。
【００１６】
また、第３球体２３及び第４球体２４は、図３に示すように、第１球体２１を挟んでヘッド１１の長さ方向の両側に分かれて配置されている。これにより、第１球体２１、第３球体２３、及び第４球体２４が、ヘッド１１のフェイス面１３とほぼ平行に並べられている。なお、第１球体２１と第３球体２３との中心間距離と、第１球体２１と第４球体２４との中心間距離は同じである。また、第３球体２３と第４球体２４とは同一形状に形成されている。
【００１７】
また、ヘッド１１には、シャフト３０を装着するためのネック３１（ホーゼル、ソケット）が設置されている。本実施形態では、ネック３１は、円筒状の部材を折り曲げ及び溶接した構造からなり、装着されるシャフト３０の主軸線が、ヘッド１１のフェイス面１３にほぼ平行且つヘッド１１のスイートスポットを通るように形成されている。また、ネック３１の基端部３１ａは、上述したスイング時におけるヘッド１１の重心軌道上に位置するように、上記第２球体２２に埋め込まれている。さらに、ネック３１は、図４に示すように、所定のライ角（図４に示す符号θ１、例えばθ１＝１９°）に沿って傾けられるとともに、ヘッド１１のスイートスポットを中心に湾曲して設けられている。
【００１８】
また、図４に示すように、ソール１２の左右方向両端部には、中央のソール面１２ａに対して所定の角度（例えば１２．８°）を傾けて形成された斜面１２ｂ，１２ｃが形成されている。しかも、第２球体２２が配置されたソール１２の後端部にも、中央のソール面１２ａに対して所定の角度（例えば４８°）を傾けて形成された斜面１２ｄが形成されている。さらに、図５に示すように、ソール１２には、第１球体２１の一部を形成するように、凹部１２ｅが設けられている。なお、凹部１２ｅにより形成された第１球体２１の頂部の位置はソール面１２ａとほぼ一致している。
【００１９】
次に、本実施形態のゴルフパター１０の作用について説明する。
本実施形態のゴルフパター１０では、ヘッド１１の全体形状が球体の一部をなすように形成されていることから、視覚的にヘッド１１のスイートスポットを認識しやすい。すなわち、ヘッド１１の重心を境に、ヘッド１１の長さ方向（左右方向）に、ヘッド１１全体が対称に形成されているため、ヘッド１１の長さ方向の中心を視覚的に捉えることで、フェイス面１３上のスイートスポットを容易に認識できる。
【００２０】
また、ネック３１が、スイング時におけるヘッド１１の重心軌道上に基端部が位置し、且つライ角に沿って傾いて形成されていることから、スイング時、使用者から見ると、ネック３１のラインが重心軌道上と一致する。また、シャフトの主軸線が、ヘッド１１のフェイス面１３にほぼ平行であり、且つヘッド１１のスイートスポットを通る。これらのことから、このゴルフパター１０は、ヘッド１１のスイートスポットをより認識しやすい。
【００２１】
なお、ヘッド１１のフェイス面１３におけるスイートスポットは、ヘッド１１の重心点からフェイス面１３に垂直に降ろした点（図２に示す符号Ｐ２）、または、スイング時におけるヘッド１１の重心軌道とフェイス面１３との交点であり、両者はほぼ等しい位置にある。
【００２２】
また、本実施形態のゴルフパター１０では、スイング時におけるヘッド１１の重心軌道上に、第１球体２１と第２球体２２とが並べて設けられていることにより、スイング時における重心軌道上の運動量が増し、スイートスポットでのインパクトの力が向上する。そのため、小さなテークバックで所望の強さの打球を得ることができる。つまり、テークバックでの方向性の狂いが抑制され、打球の安定性が向上する。
【００２３】
さらに、ヘッド１１の全体形状が球体の一部をなすことから、重心点を通る軸周りの慣性モーメントが比較的大きく、スイートスポットからの打点のずれに対する許容度が高い。また、ヘッド１１のフェイス面１３と平行に、重心位置にある第１球体２１を挟んで、第３球体２３と第４球体２４とが並べて設けられていることから、重心点を通る縦軸周りの慣性モーメントが大きく、スイートスポットからの打点の左右方向のずれに対する許容度が高い。しかも、打点がスイートスポットからずれた場合にも、シャフトに対してねじれの力が働きにくい。
【００２４】
また、本実施形態のゴルフパター１０では、ヘッド１１のソール１２に、第１球体２１の一部を形成するように、凹部１２ｅが設けられていることから、ソール面１２ａの実質的な面積が小さい。また、ソール１２の左右方向両端部、及び後端部には、中央のソール面１２ａに対して所定の角度を傾けて斜面１２ｂ，１２ｃ，１２ｄが形成されていることからも、ソール面１２ａの面積が小さくなっている。そのため、スイング時におけるヘッド１１と地表との摩擦抵抗が低減され、スイングの方向性が安定する。
【００２５】
このように、本実施形態のゴルフパター１０によれば、視覚的にヘッド１１のスイートスポットを認識しやすく、しかも、安定性の高い打球を打つことができる。
【００２６】
なお、上述した実施形態において示した各構成部材の諸形状や組み合わせ等は一例であって、本発明の主旨から逸脱しない範囲において設計要求等に基づき種々変更可能である。
【００２７】
また、上記実施形態において、ヘッド１１は、例えば、鋳造等の加工後、切削加工により成形される。ヘッド１１の材質としては、アルミ、アルミナ、カーボン、セラミック、ステンレス鋼、真鍮、軟鉄、鉄、木材など、いずれも適用可能である。
【００２８】
【発明の効果】
以上説明したように、本発明のゴルフパターによれば、視覚的にヘッドのスイートスポットを認識しやすく、スイートスポットからの打点のずれに対する許容度が高い。しかも、打点がスイートスポットからずれた場合にも、シャフトに対してねじれの力が働きにくい。したがって、安定性の高い打球を打つことができる。
【図面の簡単な説明】
【図１】本発明に係るゴルフパターの一実施形態を示し、ヘッドを示す斜視図である。
【図２】図１の矢視Ａに示すヘッドの正面図である。
【図３】図１の矢視Ｂに示すヘッドの平面図である。
【図４】図１の矢視Ｃに示すヘッドの側面図である。
【図５】ヘッドのソールを示す斜視図である。
【符号の説明】
１０  ゴルフパター
１１  ヘッド
１２  ソール
１２ａ  凹部
１３  フェイス面
２１，２２，２３，２４  球体
３０  シャフト
３１  ネック
３１ａ  基端部
【図１】
0003588062.tif 000002
【図２】
0003588062.tif 000003
【図３】
0003588062.tif 000004
【図４】
0003588062.tif 000005
【図５】
0003588062.tif 000006